(57)【要約】【課題】送信者が設定した任意内容の本文データと原稿から生成したイメージデータとをＥメールにて確実に当該Ｅメールの受信者に渡すことが出来るスキャンメール送信装置を、提供する。【解決手段】原稿をイメージデータ化し、そのファイルを添付ファイルとした電子メールであるスキャンメールを送信するスキャナメール送信装置（スキャナ制御装置及びＳＭ送信用サーバ）を、メール本文情報のサイズを考慮してメール分割を行う（ステップＳ２０２〜２０４）ように、構成しておく。【選択図】　図１０
2004088613.tif 000002
【特許請求の範囲】
【請求項１】
スキャナに接続されると共に、電子メールが利用可能なコンピュータネットワークに接続されて使用されるスキャンメール送信装置であって、
最大送信メールサイズを記憶した最大送信メールサイズ記憶手段と、
操作者によって出された、送信先アドレスとメール本文データとの指定を伴うスキャンメール送信指示を受け付ける指示受付手段と、
この指示受付手段によって前記スキャンメール送信指示が受け付けられたときに、前記スキャナに原稿のイメージデータを生成させ、そのイメージデータのファイルを添付ファイルとし、前記スキャンメール送信指示時に前記操作者によって指定された前記送信先アドレス、前記メール本文データを、それぞれ、宛先アドレス、メール本文とした電子メールであるスキャンメールを作成・送信する手段であって、前記イメージデータのファイルサイズと前記メール本文データ及びメールヘッダの合計サイズが、前記最大送信メールサイズ記憶手段に記憶された最大送信メールサイズを超えていた場合には、それらを受信したメーラーにて前記スキャンメールに復元される、前記最大送信メールサイズ以下のサイズの複数の分割スキャンメールを作成・送信するスキャンメール送信手段
とを、備えることを特徴とするスキャンメール送信装置。
【請求項２】
スキャナに接続されると共に、電子メールが利用可能なコンピュータネットワークに接続されて使用されるスキャナ制御装置と、当該コンピュータネットワークに接続されて使用されるメール化装置とで構成されるスキャンメール送信システムであって、
前記スキャナ制御装置は、
操作者によって出された、送信先アドレスとメール本文データとの指定を伴うスキャンメール送信指示を受け付ける指示受付手段と、
この指示受付手段によって前記スキャンメール送信指示が受け付けられたときに、前記スキャナに原稿のイメージデータを生成させ、前記指示受付手段によって受け付けられた前記スキャンメール送信指示に関する指示情報と、前記スキャナが生成したイメージデータとを前記メール化装置に送信するイメージデータ等送信手段
とを、備え、
前記メール化装置は、
最大送信メールサイズを記憶した最大送信メールサイズ記憶手段と、
前記スキャナ制御装置から受信した前記指示情報と前記イメージデータとに基づき、そのイメージデータのファイルを添付ファイルとし、前記操作者によって指定された前記送信先アドレス、前記メール本文データを、それぞれ、宛先アドレス、メール本文とした電子メールであるスキャンメールを作成・送信する手段であって、前記イメージデータのファイルサイズと前記メール本文データ及びメールヘッダの合計サイズが、前記最大送信メールサイズ記憶手段に記憶された最大送信メールサイズを超えていた場合には、それらを受信したメーラーにて前記スキャンメールに復元される、前記最大送信メールサイズ以下のサイズの複数の分割スキャンメールを作成・送信するスキャンメール送信手段
を、備える
ことを特徴とするスキャンメール送信装置。
【発明の詳細な説明】
【０００１】
【発明の属する技術分野】
本発明は、スキャナ及びコンピュータネットワークに接続されて使用されるスキャンメール送信装置、スキャンメール送信システムに、関する。
【０００２】
【従来の技術】
近年、スキャナに原稿のイメージデータを生成させ、そのイメージデータファイルを添付ファイルとしたＥメールを送信する機能を有する装置が、開発されている。
【０００３】
また、そのような装置の中には、受信者に対して送信するＥメールのサイズを、その受信者が受信可能な最大サイズ以下とするために、原稿から生成したイメージデータファイルを添付した１つのＥメールを送信するのではなく、受信者側で１つのＥメールに戻される複数のＥメール（以下、分割メールと表示する）を送信することが出来るように構成された装置が、知られている。
【０００４】
【発明が解決しようとする課題】
さて、原稿のイメージデータに関する分割メールを送信可能な装置としては、特開平１０−３２２５０１、特開平１０−１５０４６４、特開平１１−１８４７６７、特開平２０００−８３１２５、特開平２０００−８３１２６、特開平２００１−１０１１０２等の各公報に記載のものが知られているが、これらの公報に記載の装置は、いずれも、イメージデータのサイズのみに基づき、通常のＥメールを送信するか分割メールを送信するかを決定する装置（換言すれば、長い本文データと共にイメージデータをＥメールにて送信することが考慮されておらず、そのための機能を有さない装置）となっている。
【０００５】
そこで、本発明の課題は、送信者が設定した任意内容の本文データと原稿から生成したイメージデータとをＥメールにて確実に当該Ｅメールの受信者に渡すことが出来るスキャンメール送信装置、スキャンメール送信システムを、提供することにある。
【０００６】
【課題を解決するための手段】
上記課題を解決するために、本発明のスキャンメール送信装置は、スキャナに接続されると共に、電子メールが利用可能なコンピュータネットワークに接続されて使用される装置であって、最大送信メールサイズを記憶した最大送信メールサイズ記憶手段と、操作者によって出された、送信先アドレスとメール本文データとの指定を伴うスキャンメール送信指示を受け付ける指示受付手段と、この指示受付手段によってスキャンメール送信指示が受け付けられたときに、スキャナに原稿のイメージデータを生成させ、そのイメージデータのファイルを添付ファイルとし、スキャンメール送信指示時に操作者によって指定された送信先アドレス、メール本文データを、それぞれ、宛先アドレス、メール本文とした電子メールであるスキャンメールを作成・送信する手段であって、イメージデータのファイルサイズとメール本文データ及びメールヘッダの合計サイズが、最大送信メールサイズ記憶手段に記憶された最大送信メールサイズを超えていた場合には、それらを受信したメーラーにてスキャンメールに復元される、最大送信メールサイズ以下のサイズの複数の分割スキャンメールを作成・送信するスキャンメール送信手段とを、備える。
【０００７】
すなわち、本発明のスキャナメール送信装置は、メール本文データのサイズを考慮して分割を行う構成を有する。従って、本スキャナメール送信装置を用いれば、送信者が設定した任意内容の本文データと原稿から生成したイメージデータとをＥメールにて確実に当該Ｅメールの受信者に渡すことが出来ることになる。
【０００８】
また、本発明のスキャンメール送信システムは、スキャナに接続されると共に、電子メールが利用可能なコンピュータネットワークに接続されて使用されるスキャナ制御装置と、当該コンピュータネットワークに接続されて使用されるメール化装置とを含むシステムであって、スキャナ制御装置として、操作者によって出された、送信先アドレスとメール本文データとの指定を伴うスキャンメール送信指示を受け付ける指示受付手段と、この指示受付手段によってスキャンメール送信指示が受け付けられたときに、スキャナに原稿のイメージデータを生成させ、指示受付手段によって受け付けられたスキャンメール送信指示に関する指示情報と、スキャナが生成したイメージデータとをメール化装置に送信するイメージデータ等送信手段とを、備えた装置を含み、メール化装置として、最大送信メールサイズを記憶した最大送信メールサイズ記憶手段と、スキャナ制御装置から受信した指示情報とイメージデータとに基づき、そのイメージデータのファイルを添付ファイルとし、操作者によって指定された送信先アドレス、メール本文データを、それぞれ、宛先アドレス、メール本文とした電子メールであるスキャンメールを作成・送信する手段であって、イメージデータのファイルサイズとメール本文データ及びメールヘッダの合計サイズが、最大送信メールサイズ記憶手段に記憶された最大送信メールサイズを超えていた場合には、それらを受信したメーラーにてスキャンメールに復元される、最大送信メールサイズ以下のサイズの複数の分割スキャンメールを作成・送信するスキャンメール送信手段を、備える装置を含む。
【０００９】
すなわち、本発明のスキャナメール送信システムは、スキャナ制御装置とメール化装置とで構成された、本発明のスキャンメール送信装置と同機能のシステムとなっている。従って、本スキャナメール送信システムを用いれば、送信者が設定した任意内容の本文データと原稿から生成したイメージデータとをＥメールにて確実に当該Ｅメールの受信者に渡すことが出来ることになる。
【００１０】
【発明の実施の形態】
以下、本発明の実施の形態を、図面を参照して詳細に説明する。
【００１１】
まず、図１を用いて、本発明の一実施形態に係るスキャナ制御装置、スキャンメール送信用サーバの概要を説明する。
【００１２】
図１（Ａ）に示したように、本実施形態に係るスキャナ制御装置１０は、スキャナ１２と直接接続され、本実施形態に係るスキャンメール送信用サーバ４０、及び、何台かのユーザＰＣ４５とネットワーク接続された形で使用される装置である。なお、スキャンメール送信用サーバ４０（メール化装置に相当）とは、スキャナ制御装置１０用に開発されたメール送信プログラムがインストールされたコンピュータのことであり、ユーザＰＣ４５とは、スキャナ制御装置１０用に開発されたユーザ用プログラムがインストールされたコンピュータのことである。
【００１３】
このスキャナ制御装置１０は、原稿のイメージデータファイルを作成して、作成したイメージデータファイルを添付ファイルとした電子メールを作成・送信する作業（換言すれば、スキャナ制御装置１０がない場合には、スキャナ制御用のプログラムとメーラとを用いなければならない作業）を簡単に行える作業環境を複数のユーザに提供するための装置である。すなわち、スキャナ制御装置１０は、電子メールが利用可能なネットワークに接続されて使用される装置となっている。
【００１４】
また、スキャナ制御装置１０は、原稿のイメージデータファイルを添付ファイルとした電子メール（以下、スキャンメールと表記する）を自らが送信するのではなく、スキャンメール送信用サーバ４０に送信させる装置となっている。すなわち、スキャナ制御装置１０は、スキャンメールの作成に必要な情報（イメージデータ、宛先アドレス、メール本文情報等）を渡すことにより、スキャンメール送信用サーバ４０にスキャンメールの送信を依頼する装置となっている。そして、スキャンメール送信用サーバ４０にインストールされているメール送信プログラムは、自身がインストールされたコンピュータに、スキャナ制御装置１０から与えられた情報に基づきスキャンメールを作成して送信する機能等を付与することが出来るプログラムとなっている。また、詳細については後述するが、スキャンメール送信用サーバ４０内に記してある環境設定ファイルは、メール送信プログラムのインストール時に作成され、その後、管理者によってその内容設定（デフォルト値からの変更）が行われるファイルであるとともに、メール送信プログラムによってその内容が参照されるファイルとなっている。
【００１５】
また、本スキャナ制御装置１０は、図１（Ｂ）に模式的に示したような形状の、スキャナ１２のみならず、プリンタ１４とも接続されて使用される装置となっている。
【００１６】
以上のことを前提として、以下、本実施形態に係るスキャナ制御装置１０、スキャンメール送信用サーバ３０の構成及び動作を具体的に説明する。なお、上記したように、スキャナ制御装置１０は、プリンタ１４にも接続される装置なのであるが、以下では、スキャナ制御装置１０の，スキャンメールに関係する動作についてのみ説明することにする。
【００１７】
まず、スキャナ制御装置１０のハードウェア構成の説明と、スキャナ制御装置１０を実際に使用する前（スキャナ制御装置１０にスキャンメールを送信させる前）に、ユーザ及び管理者によって行われなければならない作業の説明とを、行う。
【００１８】
図２に示したように、スキャナ制御装置１０は、タッチスクリーン３１，テンキー部３２，ＣＰＵ２１，ＲＯＭ２２，ＲＡＭ２３，通信制御回路２４，ＥＥＰＲＯＭ２５，ＬＣＤ制御回路２６，入力インタフェース回路（入力Ｉ／Ｆ）２７，ネットワークインタフェース回路（ＮＷ−Ｉ／Ｆ回路）２８等で構成されている。
【００１９】
タッチスクリーン３１は、液晶ディスプレイ（ＬＣＤ）３５上に透明な接触位置センサ３６を重ねたデバイスであり、テンキー部３２は、テンキー、スタートボタン等からなるユニットである。
【００２０】
ＣＰＵ２１は、スキャナ制御装置１０内の各部を統合的に制御する制御回路である。ＲＯＭ２２は、ＣＰＵ２１の動作手順を規定したプログラムやＣＰＵ２１が利用するデータが記録された不揮発性メモリである。ＲＡＭ２３は、ＣＰＵ２１（プログラム）が各種の情報を一時的に記憶しておくために使用するメモリである。通信制御回路２４は、ＣＰＵ２１が、スキャナ１２或いはプリンタ１４との間で情報交換（コマンドの送信、イメージデータの受信、印刷データの送信）を行なうために使用する回路である。ＬＣＤ制御回路２６は、タッチスクリーン３１の構成要素である液晶ディスプレイ（ＬＣＤ）３５に、ＣＰＵ２１から指示された内容の画像（画面）を表示させる回路である。入力インタフェース回路２７は、ユーザがテンキー部３２或いはタッチスクリーン３１の構成要素である透明な接触位置センサ３６に対して行った操作内容を、ＣＰＵ２１に通知する回路である。ネットワークインタフェース回路２８は、スキャンメール送信用サーバ４０、ユーザＰＣ４５との間で通信を行うためにＣＰＵ２１が利用する回路である。
【００２１】
ＥＥＰＲＯＭ２５は、動作条件情報テーブル、スキャンメール情報テーブル等の記憶手段として用いられている書換可能な不揮発性記憶装置である。
【００２２】
動作条件情報テーブルは、スキャナ制御装置１０のデフォルトの動作条件を規定する各種の情報を記憶しておくためのテーブルである。本スキャナ制御装置１０は、タッチスクリーン３１、テンキー部３２等を操作することによりこの動作条件情報テーブル内の情報を変更できる装置となっている。
【００２３】
スキャンメール情報テーブルは、複数のユーザのそれぞれについて、ユーザ名、送信者名称、送信者メールアドレス、複数の宛先情報、複数のメール件名情報、複数のメール本文情報、署名情報等からなるスキャンメール情報を記憶しておくことが出来る構成のテーブルである。本スキャナ制御装置１０は、各ユーザが、スキャナ制御装置１０を実際に使用する前に、このスキャンメール情報テーブルに自身に関するスキャンメール情報を設定する作業を行っておく必要がある装置となっている。
【００２４】
この作業内容を簡単に説明すると、まず、スキャナ制御装置１０を利用したいユーザは、管理者に自身用のスキャンメール情報の登録を依頼する。当該依頼を受けた管理者は、そのユーザに割り当てるユーザ名を決定するとともに、スキャンメール送信用サーバ４０（メール送信プログラム）を操作することにより、それらを含むスキャンメール情報をスキャナ制御装置１０内のスキャンメール情報テーブルに登録する。
【００２５】
そして、スキャンメール情報がスキャンメール情報テーブル内に登録されたユーザは、自身のユーザＰＣ４５にインストールされているユーザ用プログラムを起動して、自身に割り当てられているユーザ名の指定を伴う所定の操作を行う。この操作により、ユーザＰＣ４５には、図３に示したようなダイアログボックスが表示されるので、ユーザは、このダイアログボックスを操作することにより、スキャンメールの宛先情報（宛先名称、宛先Ｅメールアドレス等からなる情報）、メールの件名、メールの本文を、必要なだけ、設定しておく。
【００２６】
さらに、本スキャナ制御装置１０は、その使用を開始する前に、管理者が、スキャンメールの最大サイズ等をスキャンメール送信用サーバ４０に対して設定する作業を行っておかなければならない装置となっている。
【００２７】
スキャンメール送信用サーバ４０にインストールされているメール送信プログラムは、この作業を管理者に行わせることが出来るプログラムとなっている。具体的には、スキャンメール送信用サーバ４０（メール送信プログラム）は、管理者によって所定手順の操作がなされると、図４に示したようなダイアログボックス、すなわち、メール当たりの最大サイズ、送受信処理のリトライ条件等を設定可能なダイアログボックスを表示する。そして、スキャンメール送信用サーバ４０は、このダイアログボックス上の“ＯＫ”ボタンが押下された際には、自装置内に記憶されている環境設定ファイルの内容を、ダイアログボックス上の各コントロールの設定値を保持したものに変更する。以下、図４のダイアログボックスに入力された結果として環境設定ファイル内に記憶されたメール当たりの最大サイズのことを、指定最大メールサイズと表記する。
【００２８】
次に、図５乃至図１０を用いて、スキャナ制御装置１０のスキャンメール送信時の動作を説明する。なお、これらの図のうち、図５は、スキャンメール基本操作画面の表示後、スキャンメールを送信する処理が１回完了するまでの間におけるスキャナ制御装置１０の動作手順を示した流れ図であり、図６〜図９は、いずれも、この流れ図に従ってスキャナ制御装置１０が動作している間に、タッチスクリーン３１上に表示される画面の説明図である。また、図１０は、スキャンメールの送信をスキャナ制御装置１０から依頼されたスキャンメール送信用サーバ４０の動作手順を示した流れ図である。
【００２９】
図５に示したように、スキャナ制御装置１０は、通常の状態では、スキャンメール基本操作画面をタッチスクリーン３１上に表示（ステップＳ１０１）した後、スキャンメール基本操作画面或いはテンキー部３２がユーザによって操作されるのを待機している（ステップＳ１０２）。
【００３０】
ここで、スキャンメール基本操作画面とは、図７に示したように、原稿のサイズ、原稿から生成するイメージデータの解像度、スキャンメールに添付するイメージデータファイルの形式（ＰＤＦ、ＴＩＦＦ等）を設定するためのボタン群が示された領域５３、宛先を設定するためのボタン５１，メールの本文や件名を設定するためのボタン５２、ユーザを指定（選択）するためのユーザボタン５４等を備えた画面のことである。
【００３１】
そして、スキャナ制御装置１０は、スタートボタンの押下以外の操作がなされた場合（ステップＳ１０２；その他）には、なされた操作に応じた内容の処理をステップＳ１０３にて行った後、再び、ステップＳ１０２にて、ユーザにより何らかの操作が行われるのを待機する。
【００３２】
例えば、スキャンメール基本操作画面上の宛先ボタン５１が押下された場合、スキャナ制御装置１０は、ユーザボタン５４にて選択されているユーザ名を含むスキャンメール情報内の宛先情報群に基づき、図７（Ａ）に示したような宛先設定画面、すなわち、宛先情報の要素である宛先名称（“ＵＳＥＲ＿１”等）がリスト表示される宛先名称表示領域６１や、詳細ボタン６２、追加ボタン６３、決定ボタン６４等を備えた宛先設定画面を、タッチスクリーン３１上に表示する。
【００３３】
そして、宛先名称表示領域６１内の或る宛先名称が押下された場合、スキャナ制御装置１０は、その宛先名称の表示形態を選択されていることを示すもの（本実施形態では、黒枠で囲まれたもの）に変更する。また、追加ボタン６３が押下された場合、スキャナ制御装置１０は、選択されている宛先名称を宛先名称表示領域６１内から消去するとともに、その宛先名称で識別される宛先情報が、スキャンメールの実際の送信先を指定する宛先情報（以下、送信先宛先情報と表記する）として選択されたことを記憶する。
【００３４】
また、宛先一覧ボタン６５が押下された場合、スキャナ制御装置１０は、タッチスクリーン３１に表示する画面を、図７（Ｂ）に示したような内容の宛先確認画面、すなわち、送信先宛先情報として選択されている宛先情報に関する宛先名称（“ＵＳＥＲ＿８”等）がリスト表示される送信先宛先名称表示領域６６等を備えた宛先確認画面に変更する。
【００３５】
また、宛先設定画面（図７（Ａ））、宛先確認画面（図７（Ｂ））上の詳細ボタン６２が押下された場合、スキャナ制御装置１０は、選択されている状態にある宛先情報の内容（宛先名称、Ｅメールアドレス等）を示した宛先詳細画面を、タッチスクリーン３１上に表示する。そして、スキャナ制御装置１０は、当該画面上に設けられている所定のボタンが押下されたときに、タッチスクリーン３１の表示内容を宛先詳細画面を表示する前に表示していたもの（宛先設定画面或いは宛先確認画面）に戻す。
【００３６】
また、宛先設定画面、宛先確認画面上の決定ボタン６４が押下された場合、スキャナ制御装置１０は、宛先ボタン５１の内部に“宛先：設定済”が示されたスキャンメール基本操作画面（図６参照）をタッチスクリーン３１上に表示する。
【００３７】
そして、スキャンメール基本操作画面上のメール情報参照ボタン５２が押下された場合、スキャナ制御装置１０は、図８に示したようなメール情報設定・確認画面をタッチスクリーン３１上に表示する。また、スキャナ制御装置１０は、このメール情報設定・確認画面上の本文ボタン７２が押下された場合には、図９に示したように、ユーザが、自身が設定しておいたメール本文情報の中から１個のメール本文情報を選択できるメール本文設定画面を、タッチスクリーン３１上に表示する。そして、このメール本文設定画面上のボタン８１，８２が操作された場合、スキャナ制御装置１０は、メール本文設定画面内に表示するメール本文情報を、スキャンメール情報内での順番が１つ前／１つ後ろのメール本文情報に変更する。また、スキャナ制御装置１０は、決定ボタン８３が押下された際には、表示中のメール本文情報が、これから送信するスキャンメールに使用すべきメール本文情報として選択されたことを記憶して、タッチスクリーン３１上に表示する画面をメール情報設定・確認画面に戻す。そして、メール情報設定・確認画面上の“ＯＫ”ボタンが押下された際には、タッチスクリーン３１上に再びスキャンメール基本操作画面を表示する。
【００３８】
なお、スキャナ制御装置１０は、メール情報設定・確認画面上の件名ボタン７１が押下された場合にも、メール本文設定画面と同様の構成のメール件名設定画面をタッチスクリーン３１に表示する。
【００３９】
そして、スキャンメール基本操作画面がタッチスクリーン３１に表示されている状態で、スタートボタンが押下された際（図５：ステップＳ１０２；スタートボタン押下）、スキャナ制御装置１０は、必要な情報が全て設定されていることを確認した上（図示せず）で、スキャナ１２に対して原稿の読み取り（原稿上の画像を表すイメージデータの生成）を指示するコマンドを送信する（ステップＳ１０４）。その後、スキャナ制御装置１０は、ユーザによって設定されている件名情報、メール本文情報、幾つか（少なくとも１つ）の宛先情報、ファイル形式情報等からなるスキャンメール送信条件情報を、スキャンメール送信用サーバ４０に送信するとともに、スキャナ１２から送信されてくるイメージデータをスキャンメール送信用サーバ４０に転送する処理（ステップＳ１０５）を行う。そして、スキャナ制御装置１０は、全てのイメージデータの転送が完了した際に、ステップＳ１０５の処理を終了する。
【００４０】
一方、スキャンメール送信条件情報とイメージデータとをスキャナ制御装置１０から受信したスキャンメール送信用サーバ４０では、図１０に示したように、メール送信プログラムの制御下、受信したイメージデータから、受信したスキャンメール送信条件情報内のファイル形式情報にて示されているファイル形式のイメージデータファイルを作成する処理（ステップＳ２０１）が行われる。次いで、受信したスキャンメール送信条件情報に含まれていたメール本文情報をメール本文に用い、作成したイメージデータファイルを添付ファイルとしたＥメール（スキャンメール）のサイズ（メール本文情報、イメージデータファイルに対してＢＡＳＥ６４変換を行ったもの）が、指定最大メールサイズ（図では、指定サイズ）を超えるか否かが判断される（ステップＳ２０２）。
【００４１】
そして、受信したスキャンメール送信条件情報に含まれていたメール本文情報をメール本文に用い、作成したイメージデータファイルを添付ファイルとしたＥメールのサイズが、指定最大メールサイズを超えない場合（ステップＳ２０２；ＮＯ）には、スキャナ制御装置１０から与えられた情報に基づき、１つのスキャンメールを作成して送信する処理（ステップＳ２０３）が、行われる。
【００４２】
一方、受信したスキャンメール送信条件情報に含まれていたメール本文情報をメール本文に用い、作成したイメージデータファイルを添付ファイルとしたＥメールのサイズが、指定最大メールサイズを超える場合（ステップＳ２０２；ＹＥＳ）には、メール本文情報とイメージデータファイルとを分割して、サイズが指定最大メールサイズ以下の幾つかのスキャンメールを作成して送信する処理（ステップＳ２０４）が、行われる。
【００４３】
以上、説明したように、本実施形態に係るスキャナ制御装置１０は、メール本文情報のサイズを考慮して分割を行う装置となっているので、本スキャナ制御装置１０を用いれば、送信者が設定した任意内容の本文データと原稿から生成したイメージデータとをＥメールにて確実に当該Ｅメールの受信者に渡すことが出来ることになる。
【００４４】
＜変形形態＞
実施形態のスキャナ制御装置１０は、各種の変形を行うことが出来る。例えば、スキャナ制御装置１０は、スキャンメール送信用サーバ４０にスキャンメールを送信させる装置であったが、スキャナ制御装置１０にスキャンメールを送信する機能を付与しておいても良い。また、分割がページ単位で行われるように（各分割メールに整数ページ分のイメージデータが含まれるように）、スキャナ制御装置１０及びスキャンメール送信用サーバ４０（主としてスキャンメール送信用サーバ４０）を構成しておいても良い。
【００４５】
また、タッチスクリーン３１等を操作することにより、スキャンメール情報の設定が行えるように、スキャナ制御装置１０を変形しておいてもよいことや、スキャナ制御装置１０に表示させる各種画面を、上記したものとは異なるものとしておいても良いことは当然である。
【００４６】
【発明の効果】
本発明のスキャナ制御装置によれば、各ユーザによって設定された宛先情報等の内容を他ユーザが確認・利用することが困難になるので、その結果として、記憶されている宛先情報等が悪用されることを防止できることになる。
【図面の簡単な説明】
【図１】本発明の一実施形態に係るスキャナ制御装置の使用形態の説明図である。
【図２】実施形態に係るスキャナ制御装置のハードウェア構成図である。
【図３】ユーザＰＣにインストールされたユーザ用プログラムが表示するダイアログボックスの説明図である。
【図４】スキャンメール送信用サーバにインストールされたメール送信プログラムが表示するダイアログボックスの説明図である。
【図５】スキャナ制御装置の動作手順を示した流れ図である。
【図６】スキャナ制御装置のタッチスクリーンに表示されるスキャンメール基本操作画面の説明図である。
【図７】スキャナ制御装置のタッチスクリーンに表示される宛先設定画面、宛先確認画面の説明図である。
【図８】スキャナ制御装置のタッチスクリーンに表示されるメール情報設定・確認画面の説明図である。
【図９】スキャナ制御装置のタッチスクリーンに表示されるメール本文情報選択画面の説明図である。
【図１０】スキャンメール送信用サーバの動作手順を示した流れ図である。
【符号の説明】
１０　スキャナ制御装置
１２　スキャナ
１４　プリンタ
２１　ＣＰＵ
２２　ＲＯＭ
２３　ＲＡＭ
２４　通信制御回路
２５　ＥＥＰＲＯＭ
２６　ＬＣＤ制御回路
２７　入力インタフェース回路
２８　ネットワークインタフェース回路
３１　タッチスクリーン
３２　テンキー部
４０　スキャンメール送信用サーバ
４５　ユーザＰＣ
【図１】
2004088613.tif 000003
【図２】
2004088613.tif 000004
【図３】
2004088613.tif 000005
【図４】
2004088613.tif 000006
【図５】
2004088613.tif 000007
【図６】
2004088613.tif 000008
【図７】
2004088613.tif 000009
【図８】
2004088613.tif 000010
【図９】
2004088613.tif 000011
【図１０】
2004088613.tif 000012